(57)【要約】      （修正有）【課題】数フレームの時間で個別通信が行える基地局ー端末装置間における個別回線の割当て方法に特徴を有する通信システムを提供する。【解決手段】所定のデータフォーマットを使用する物理層の処理機能部を有する基地局と，基地局により割り当てられた上り回線を使用する端末を有し，直交周波数分割多重方式であって，基地局は，周期的にプリアンブル信号を送信し，端末からの上り回線要求があった時に，空き上り回線を特定する空き個別接続識別子を送る手段を有する。端末は，基地局からのプリアンブル信号により同期し，自端末装置番号に対応する上り回線要求コードと送信領域により基地局に対し上り回線要求を送信し、基地局から送られる上り回線割り当て情報から自端末装置向けの接続識別子を認識する。【選択図】  図６
2008005003.tif 000002
【特許請求の範囲】
【請求項１】
所定のデータフォーマットを使用する物理層の処理機能部を有する基地局装置と，前記基地局装置により割り当てられた上り回線を使用する端末装置を有し，直交周波数分割多重方式により前記基地局と端末装置間で通信を行う通信システムであって，
前記基地局は，周期的にプリアンブル信号を送信し，端末装置からの上り回線要求があった時に，前記端末装置が基地局に向けデータ送信するための空き上り回線を特定する空き個別接続識別子を送る手段を有し，
前記端末装置は，前記基地局からのプリアンブル信号により同期し，
自端末装置番号に対応する上り回線要求コードと送信領域により基地局に対し上り回線要求を送信する手段と，
前記基地局から送られる上り回線割り当て情報から使用している接続識別子を記憶する手段と，
前記基地局からの前記上り回線要求に対する応答としての上り回線割り当て情報を認識して，前記記憶した接続識別子と，前記上り回線割り当て情報により追加された接続識別子とを区別し，自端末装置向けの接続識別子を認識する手段を有し，
前記端末装置で接続識別子を認識できない場合は，前記回線要求を送信する手段により上り回線要求を再送する，
ことを特徴とする通信システム。
【請求項２】
請求項１において，
前記端末装置は，前記自端末装置向けの接続識別子を認識後に最初の上り回線バーストを送信する際に，前記認識された自端末装置向けの接続識別子と自端末装置番号を付加して前記基地局に送信することを特徴とする通信システム。
【請求項３】
請求項２において，
前記基地局で前記端末装置からの前記自端末装置向けの接続識別子と自端末装置番号を受信，認識して，当該端末装置向けの個別データを送信するために，ブロードキャスト信号内の下り回線割り当て情報に前記端末装置向けの接続識別子を付加することを特徴する通信システム。
【請求項４】
請求項１において，
前記端末装置は，更に自端末装置の所在位置情報に対応する上り回線要求コードと送信領域により基地局に対し上り回線要求を送信する手段を有することを特徴とする通信システム。
【請求項５】
請求項１において，
前記基地局は，前記空き個別接続識別子を送る手段により空き個別接続識別子を端末装置に送る際に，上り回線要求コードと送信領域に対応してグループ化された複数の個別接続識別子を端末装置に送信し，
前記端末装置は，受信した前記グループ化された複数の個別接続識別子から，前記上り回線要求コードと送信領域を参照して前記自端末装置向けの個別接続識別子を認識する，
ことを特徴とする通信システム。
【発明の詳細な説明】
【技術分野】
【０００１】
本発明は，ＷｉＭＡＸフォーマットを利用した通信における個別回線の割当てを行う通信システムに関する。
【背景技術】
【０００２】
ＷｉＭＡＸ(World Interoperability for Microwave Access)方式では，数百ｍ以上のセル半径を通信エリアとしてセルラーシステムを形成している。また，変調方式は，IEEE802.16-2004規格では直交周波数分割多重(ＯＦＤＭ：Orthogonal Frequency Division Multiplexing)方式により，各データ通信に使用できる周波数を時間で分ける方法を用いている。
【０００３】
さらに，IEEE802.16e規格はモバイルブロードバンドシステムに関係し，直交周波数分割多元接続（ＯＦＤＭＡ：Orthogonal Frequency Division Multiple Access方式により，ＯＦＤＭ方式の時間に加えサブキャリアでも各データを分けることが可能になっている。そして，基地局と端末装置は，マスター・スレーブ構成になっており回線割当て等は基地局が行う構成である。
【０００４】
かかるＯＦＤＭ方式を適用するシステムとして，例えば，特許文献１に下りサブフレーム内に同期化プリアンブルとセル探索プリアンブルを設けることにより時間と周波数の同期化と，セル探索を効率化する移動通信システムが開示されている。
【０００５】
図１は，このようなＷｉＭＡＸを利用した通信システムにおけるシステム構成例を示す図である。
【０００６】
ＷｉＭＡＸ方式では，基地局１０１を中心とする数Ｋｍ以上のセル半径を有するセル１００を通信エリアとしてセルラーシステムを形成している。このようなセル１００を通信エリアに，移動端末装置＃０〜＃ｎが出入する。そして，通信エリアに在圏する移動端末装置＃０〜＃ｎに対し，電源投入シーケンス，初期設定シーケンス或いは，発呼シーケンスなど多くのシーケンスを行っている。
【特許文献１】特表２００６−５０７７５３号公報
【発明の開示】
【発明が解決しようとする課題】
【０００７】
ここで，ＷｉＭＡＸ方式の場合，上記シーケンスにおける初期設定，発呼等の回線を張る手順，認証により，リンク確立に必要な時間が数秒以上必要になる。数百ｍ程度のセル半径の場合は，移動端末装置側がリンク確立している間に通信エリアから抜け出してしまう可能性がある。
【０００８】
したがって，本発明の目的は，数フレームの時間で個別通信が行える基地局ー端末装置間における個別回線の割当て方法に特徴を有する通信システムを提供することにある。
【課題を解決するための手段】
【０００９】
上記の課題を達成するため本発明の特徴は，通信システムにおいて，基地局−端末装置間通信のフローチャートの見直し，要求信号の選択方法のルール化にある。
【００１０】
そして，具体的態様として，第１の側面は，所定のデータフォーマットを使用する物理層の処理機能部を有する基地局装置と，前記基地局装置により割り当てられた上り回線を使用する端末装置を有し，直交周波数分割多重方式により前記基地局と端末装置間で通信を行う通信システムであって，前記基地局は，周期的にプリアンブル信号を送信し，端末装置からの上り回線要求があった時に，前記端末装置が基地局に向けデータ送信するための空き上り回線を特定する空き個別接続識別子を送る手段を有し，前記端末装置は，前記基地局からのプリアンブル信号により同期し，自端末装置番号に対応する上り回線要求コードと送信領域により基地局に対し上り回線要求を送信する手段と，前記基地局から送られる上り回線割り当て情報から使用している接続識別子を記憶する手段と，前記基地局からの前記上り回線要求に対する応答としての上り回線割り当て情報を認識して，前記記憶した接続識別子と，前記上り回線割り当て情報により追加された接続識別子とを区別し，自端末装置向けの接続識別子を認識する手段を有し，前記端末装置で接続識別子を認識できない場合は，前記回線要求を送信する手段により上り回線要求を再送することを特徴とする。
【００１１】
これにより数フレーム程度で個別の通信を行うことができる。
【００１２】
前記において，前記端末装置は，前記自端末装置向けの接続識別子を認識後に最初の上り回線バーストを送信する際に，前記認識された自端末装置向けの接続識別子と自端末装置番号を付加して前記基地局に送信するように構成してもよい。
【００１３】
これにより，基地局は，いずれの端末装置からの要求であるかの識別が可能になる。
【００１４】
さらに，前記基地局で前記端末装置からの前記自端末装置向けの接続識別子と自端末装置番号を受信，認識して，当該端末装置向けの個別データを送信するために，ブロードキャスト信号内の下り回線割り当て情報に前記端末装置向けの接続識別子を付加するように構成できる。
【００１５】
これにより，上記構成に対して，下り回線も個別通信可能になる。
【００１６】
また，前記第１の側面において，前記端末装置は，更に自端末装置の所在位置情報に対応する上り回線要求コードと送信領域により基地局に対し上り回線要求を送信する手段を有するように構成できる。確率は低いので，複数の端末装置で要求信号の衝突を防ぐことが可能になる。
【００１７】
さらに，前記第１の側面において，前記基地局は，前記空き個別接続識別子を送る手段により，空き個別接続識別子を数字順に設定して端末装置に送信するようにしてもよい。
【００１８】
さらにまた，前記第１の側面において，前記基地局は，前記空き個別接続識別子を送る手段により空き個別接続識別子を端末装置に送る際に，上り回線要求コードと送信領域に対応してグループ化された複数の個別接続識別子を端末装置に送信し，前記端末装置は，受信した前記グループ化された複数の個別接続識別子から，前記上り回線要求コードと送信領域を参照して前記自端末装置向けの個別接続識別子を認識するように構成できる。
【００１９】
これにより，複数の端末装置が，同じタイミングで要求信号を上げた場合に簡易的に基地局で識別可能になる。
【発明を実施するための最良の形態】
【００２０】
以下に本発明の実施の形態例を図面に従い説明する。なお，実施の形態例は本発明の理解のためのものであり，本発明の技術的範囲がこれに制限されるものではない。
【００２１】
図２は，本発明に適用されるＯＦＤＭＡ物理層のフレームフォーマットの構成例を示す。縦軸はサブチャネルの論理番号，横軸はＯＦＤＭシンボルの番号である。下り回線Ａのサブフレームは，プリアンブルＩと，フレーム制御ヘッダ(ＦＣＨ：Frame Control Header），下り回線割り当て情報（DL_MAP）及び上り回線割り当て情報（UL_MAP）を含むブロードキャストメッセージIIと，複数の下りデータバーストIIIにより構成される。上り回線Ｂのサブフレームは，帯域幅要求信号（Ranging）IVと複数の上りデータバーストＶにより構成される。
【００２２】
プリアンブルＩは，受信側が下り回線のサブフレームに周波数及び時間同期を取るための同期（ｓｙｎｃ）データを含み，全チャネル一斉に送信される。プリアンブルパターンは複数種用意されており，一定の長さを有する。
【００２３】
ブロードキャストメッセージIIにおけるフレーム制御ヘッダＦＣＨは，後に続く最初のバーストのプロファイル（コーディング方法，長さ等）を規定する。下り回線割り当て情報（DL_MAP）は下りサブフレームにおけるデータバーストのマッピング情報を含み，上り回線割り当て情報（UL_MAP）は上りサブフレームにおけるデータバーストのマッピング情報を含む。
【００２４】
各データバーストは整数個のＯＦＤＭシンホルで構成され，下り回線割り当て情報DL_MAPで規定されたバーストプロファイルに従う変調方式（ＱＰＳＫ，１６ＱＡＭ，６４ＱＡＭ），符号化方式，符号化率が割り当てられる。
【００２５】
なお，プリアンブルＩは，ＢＰＳＫにより，ブロードキャストはＱＰＳＫにより変調される。
【００２６】
図３は，帯域幅要求信号(Ranging)の送信領域を示す図であり，IEEE802.16eに規定され，１２個の要求スロットエリアを有している。
【００２７】
図４，図５は，それぞれ本発明を適用する基地局１０１の構成及び，端末装置＃０〜＃ｎの装置構成例のブロック図である。基地局及び端末装置のそれぞれは，双方向の送受信機能を有しているので同様の送受信回路を有し，従って同様機能部位には便宜上同じ参照番号を付してある。
【００２８】
図４において，基地局装置は，ネットワークインタフェース部１，メディアアクセスコントロール（ＭＡＣ）処理部２，物理層（ＰＨＹ）処理部３，無線周波数送受信(ＲＦ)部４及びＧＰＳレシーブ部５からなる。
【００２９】
ネットワークインタフェース部１は，外部とのインタフェース機能とＭＡＣ処理部２との送受信機能を持つ。ＭＡＣ処理部２は，リソース管理とＷｉＭＡＸにおけるＭＡＣレイヤ機能持つ。
【００３０】
ＰＨＹ処理部３は，プリアンブルパターンを生成する下りプリアンブル生成部３０と，下りブロードキャスト生成部３１と，下りバースト生成部３２と，変調処理部３３，多重処理部（ＭＵＸ）３４と，高速逆フ−リェ変換部（ＩＦＦＴ）３５を含む。
【００３１】
下りプリアンブル生成部３０では，ＭＡＣ処理部２から指示されたプリアンブルシンボルの生成を行う。下りブロードキャスト生成部３１は，ＭＡＣ処理部２からの送信データを，ＭＡＣ処理部２からの指示に従い，所定のブロードバンドデータの生成及び，ＰＨＹレイヤ処理を行う。下りバースト生成部３２は，ＭＡＣ処理部２からの指示に従い，送信データのＰＨＹレイヤ処理を行う。
【００３２】
変調処理部３３は，各生成部からの信号をQPSK,BPSK，多値変調等の変調を行う。多重処理部３４は，ＭＡＣ処理部２からの使用領域(多重フォーマット)指示に従い，各生成部からの信号を多重する。
【００３３】
高速逆フ−リェ変換部（ＩＦＦＴ）３５は，ＭＡＣ処理部２により指示されたパラメータに従って，高速逆フーリエ変換等を行う。高速逆フーリエ変換出力は，次いで，ＲＦ部４で無線周波数に周波数変換されて，アンテナＡＮＴより送信される。
【００３４】
一方，ＰＨＹ処理部３において，ＲＦ部４で受信復調された信号に対する受信機能部は，高速フーリエ変換（ＦＦＴ）部３６，上りバースト受信処理部３９及びRanging受信処理部４０からなる。
【００３５】
高速フーリエ変換（ＦＦＴ）部３６は，高速フーリエ変換等を行う。上りRanging受信処理部３７は，ＷｉＭＡＸ規定のＰＨＹ処理を行い，受信結果をＭＡＣ処理部２に送信する。
【００３６】
上りバースト受信処理部３８は，ＭＡＣ処理部２から指示された領域に対してＰＨＹ処理を行い，受信結果をＭＡＣ処理部２に送信する。
【００３７】
さらに，図４において，ＧＰＳレシーブ部５は，図示しないＧＰＳクロックに同期した内部タイミングの生成を行う。
【００３８】
次に，図５に示す端末装置の装置構成を説明すると，端末装置は，ネットワークインタフェース部１，ＭＡＣ処理部２，ＰＨＹ処理部３，無線周波数送受信(ＲＦ)部４及びＧＰＳレシーブ部５からなる。
【００３９】
ネットワークインタフェース部１は，外部とのインタフェース機能とＭＡＣ処理部２との送受信機能を持つ。ＭＡＣ処理部２は，リソース管理とＷｉＭＡＸにおけるＭＡＣレイヤ機能持つ。
【００４０】
ＭＡＣ処理部２の機能は，以降に説明する本発明の実施の形態例に対応して，ＷｉＭＡＸ仕様から変更している。さらに，ＭＡＣ処理部２におけるリソース管理では，回線要求（Ranging）で送信するコード（code）番号，領域の指示，バースト（Burst）信号の送信位置をブロードキャスト信号から認識して，ＰＨＹ処理部３に通知する。
【００４１】
ＰＨＹ処理部３は，送信機能，受信機能を有する。送信機能としては，Ranging生成部４４，上りバースト生成部４５，変調処理部４６，多重処理部４７及びＩＦＦＴ部４８からなる。
【００４２】
図５において，Ranging生成部４４は，ＭＡＣ処理部２からの指示に従い回線要求コード（Ranging Code）の生成を行う。上りバースト生成部４５は，バースト信号の生成を行う。変調処理部４６は，各生成部からの信号をQPSK,BPSK，多値変調等の変調を行う。多重処理部４７は，ＭＡＣ処理部２からの使用領域指示に従い各生成部からの信号を多重する。
【００４３】
高速逆フーリエ変換部４８では，ＭＡＣ処理部２より指示されたパラメータにより逆高速フーリエ変換等を行う。
【００４４】
受信機能は，高速フーリエ変換（FFT）部４０，下りプリアンブル受信処理部４２，下りブロードキャスト受信処理部４２及び下りバースト受信処理部４３からなる。高速フーリエ変換（FFT）部４０は，高速フーリエ変換等を行なう。下りプリアンブル受信処理部４２は，基地局１０１の送信するプリアンブル信号の検出を行い，同期を取る機能を持つ。さらに，その同期タイミングを下りブロードキャスト信号受信処理部４３と，ＭＡＣ処理部２に通知する機能を持つ。
【００４５】
下りバースト信号受信処理部４３は，内部情報のＷｉＭＡＸにおける受信処理を行い，ＭＡＣ処理部２に通知する機能を持つ。下りバースト信号受信処理部４３は，更にブロードキャスト信号の中身をＭＡＣ処理部２経由で通知してもらい，通知された領域に対してＷｉＭＡＸにおける受信処理を行う。
【００４６】
ＲＦ部４は，ＰＨＹ処理部３のベースバンド信号を無線周波数（ＲＦ）変調または，ＲＦからベースバンドに復調する送受信機能を有する。ＧＰＳレシーブ部５は，位置情報をＭＡＣ処理部２に通知する。
【００４７】
つぎに，上記図４，図５に示した基地局１０１及び端末装置＃１〜＃ｎの構成により実行される本発明に従う回線割り当て方法の実施例処理について説明する。
【００４８】
図６は，本発明に従う第１の実施の形態例の動作フローである。
【００４９】
基地局１０１は，図２に示したＷｉＭＡＸ仕様ベースのデータフォーマットによりプリアンブル信号を周期的に送信する（ステップＳ１１，Ｓ１２，Ｓ１３・・・）。この周期は，１フレーム(frame)の長さになる。さらに，本実施の形態では，下り回線Ａは全ての端末装置が受信する放送(ブロードキャスト)型の情報である。
【００５０】
全ての端末装置が認識可能な，空き上り回線を特定する接続識別子（CID：connection ID）を共通CIDとして下り回線割当て領域（DL_MAP）に準備し，ブロードキャスト信号の中で端末装置に通知する。
【００５１】
この際，通知した下り回線（ＤＬ）バースト信号中の共通CIDの領域に，全端末装置向けデータを格納して送信する。
【００５２】
端末装置は，基地局１０１から送信されたプリアンブル信号を受信し，同期を取り（ステップＳ２），同期が取れた時点で上り回線要求(Ranging)処理を開始する（ステップＳ３）。
【００５３】
また，ＭＡＣ処理部２内で，フレームカウンタを動作させる（ステップＳ４）。同時に，ブロードバンド信号の情報である上り回線割当て情報（UL_MAP）内の個別CIDを認識し，記憶する（ステップＳ５）。
【００５４】
次いで，自端末装置の固定番号を基準に，回線要求コード（Ranging code）と送信領域対応表（Ranging送信対応表）を参照して（ステップＳ６），図２に示す上り回線Ｂのフォーマットに従い，固定Rangingコードの送信を行う（ステップＳ７）。この固定Ranging送信対応表の一例を図７に示す。左欄に自端末コード，中欄にRangingコード(２５６種)及び右欄に送信領域（図３に示した１２の領域がある）。したがって，３０７２（＝２５６×１２）の端末装置に対して一義的に特定することができる。
【００５５】
このRanging送信のタイミングは，上り回線Ｂの指示された，図３に示すRanging送信領域の対応するタイミングである。
【００５６】
基地局１０１は，端末装置から送られたRangingコードを認識すると（ステップＳ８），回線割り当て処理を開始する（ステップＳ９）。
【００５７】
この回線割り当て処理は，例えば，空きCIDにおいて若番順に決める。決めた結果は，Rangingを受信してから２フレーム後のブロードキャスト信号で通知し（ステップＳ１３），通知したフレームの上り回線Ｂで通知した領域の受信処理を行う（ステップＳ１０）。なお，空きCIDをRangingを受信してから２フレーム後のブロードキャスト信号で通知するのは，１フレーム後で処理が間に合わない場合を考慮しているためである。
【００５８】
一方，端末装置側では，下り回線Ａのバースト信号をブロードキャスト信号を下り回線割り当て情報（DL_MAP）に基づいて，下りバースト信号（ＤＬ_Ｂｕｒｓｔ）領域から受信する。
【００５９】
次いで，先のフレームカウンタの計数に基づき，Ranging送信から３フレーム目で，上り回線割当て情報（UL_MAP）内の個別CIDを確認する。先に記憶装置に記憶した使用中の個別CIDと差分があれば，その個別CIDが自端末装置の個別CIDであるので指定された領域を認識する（ステップＳ１２）。認識した上り回線バースト領域（ＵＬ_Burst）で自端末装置からの情報を送信する（ステップＳ１３）。
【００６０】
個別CIDが追加されない場合は，Ranging送信からやり直す（ステップＳ１４）。なお，図６に示される送信までのフレーム数は３フレームに限られず一例である。
【００６１】
かかる本発明の適用される図６に従う処理により，数フレーム程度で，個別通信が行われるようになる。
【００６２】
つぎに，上記第１の実施の形態に対して，本発明の変形例として，基地局側でいずれの端末装置からのrangingであるかを識別可能とする第２の実施の形態例を図８の動作フローにより説明する。
【００６３】
図８に示す処理は，図６に示すフローの関係する一部分を抜き出して示している。
【００６４】
特徴は，個別CID認識（ステップＳ１２）後の最初の上り回線バーストUL_Burstを送信する際（ステップＳ１３）の情報に，認識した個別CIDと自端末装置番号を付加して送信する（ステップＳ１４）処理が追加されている。
【００６５】
したがって，基地局１０１では上り回線バーストUL_Burstを受信する際（ステップＳ１３）に，ＵＬ個別CIDと端末番号のリンク情報を受信することになる（ステップＳ１５）。
【００６６】
これにより，基地局１０１は，受信した端末番号と基地局が割り当てた個別CIDを関係付ける機能を有しているので（図８参照），先の図６に示す実施の形態において，回線を割り当てるだけでなく，いずれの端末装置が使用しているかを認識することができる。
【００６７】
図９は，更に別の実施の形態の動作フローである。この第３実施の形態は，上記第２の実施の形態に対し，基地局１０１で端末装置からの個別CIDと自端末装置番号を受信後，この情報を認識し，当該端末装置向けの個別データを送信するために，ブロードキャスト信号内の下り回線割り当て情報（DL_MAP）に個別CIDを追加する構成である。
【００６８】
図９に示す動作フローも，図６に示すフローの関係する一部分を抜き出して示している。
【００６９】
通常上り回線Ｂと下り回線Ａの個別CIDを同一にはしないが，本発明の特徴として同一にする。追加した個別CIDに対し，下り回線Ａの下り回線バースト（DL_Burst）の割当てを行い（ステップＳ１６），個別情報をこの下り回線バースト（DL_Burst）により送信する（ステップＳ１７）。
【００７０】
端末装置は，下り回線割り当て情報（DL_MAP）により割当てられた個別CIDと同じ番号があることを確認し，下り回線Ａの個別情報も受信する（ステップＳ１８）。なお，基地局内の網側とのリンク処理を考え，次フレームで別の個別CIDを割当てることも可能である。
【００７１】
図１０は，更に追加の特徴を有する実施の形態の動作フローであり，先の実施の形態例と同様に，図６に示すフローの関係する一部分を抜き出して示している。
【００７２】
この実施の形態では，Rangingコード及び送信領域に，例えば，移動端末の移動により変化するパラメータである位置情報を追加する（ステップＳ２０）。かかる場合の対応表を図１１に示す。 図１１の対応表から，ＧＰＳレシーブ部５によってＧＰＳシステムを参照して得られる緯度経度情報により所在する端末装置が特定されるので，端末装置の番号に代えて，緯度経度情報からRangingコード及び送信領域を決めてRanging信号を送信する（ステップＳ７）。
【００７３】
この実施の形態により，端末装置の所在する緯度経度が重なる確率は極めて低いので，回線要求信号の衝突を防ぐことができる。
【００７４】
図１１は，更に別の実施の形態の処理フローであリ，第１の実施の形態の処理を一部変更した例である。すなわち，基地局１０１内の回線割当て処理において，第１の実施の形態では一例として若番順としたが，端末装置の送信するRangingコード及び送信領域の組み合わせにより個別CIDを決定する方法である。
【００７５】
図１３に個別CID対応一例の表を示す。図１３に示す表において，Rangingコード（０〜２５５）と送信領域(１２種)の組み合わせと個別CIDのグループが対応付けられている。
【００７６】
図１２において，図６に従う手順で，基地局１０１が，複数の端末装置（＃０と＃１）からRangingコードが送信され（ステップＳ７ａ，７ｂ），同じフレーム期間に受信した場合（ステップＳ８），それぞれの端末装置に個別CIDを割当てるので，複数の個別CIDが割り当てられることになる。
【００７７】
かかる場合，端末装置はどの個別CIDが自端末装置に向けられたものか判定できない。したがって，本実施の形態では，図１３の対応表に従って，端末装置から送られたRangingコードと送信領域の組み合わせに対応する個別CIDのグループから個別CIDを選択して（ステップＳ９ａ），端末装置に送信する。
【００７８】
端末装置側では，同様に図１３の対応表を認識しているので，基地局に送ったRangingコードと送信領域から，自端末装置宛の個別CIDであることを認識することができる。
【００７９】
かかる第５の実施の形態により，同じタイミングで回線要求信号を上げた場合であって，簡易的に基地局で識別可能になる。
【００８０】
(付記１)
所定のデータフォーマットを使用する物理層の処理機能部を有する基地局装置と，前記基地局装置により割り当てられた上り回線を使用する端末装置を有し，直交周波数分割多重方式により前記基地局と端末装置間で通信を行う通信システムであって，
前記基地局は，周期的にプリアンブル信号を送信し，端末装置からの上り回線要求があった時に，前記端末装置が基地局に向けデータ送信するための空き上り回線を特定する空き個別接続識別子を送る手段を有し，
前記端末装置は，前記基地局からのプリアンブル信号により同期し，
自端末装置番号に対応する上り回線要求コードと送信領域により基地局に対し上り回線要求を送信する手段と，
前記基地局から送られる上り回線割り当て情報から使用している接続識別子を記憶する手段と，
前記基地局からの前記上り回線要求に対する応答としての上り回線割り当て情報を認識して，前記記憶した接続識別子と，前記上り回線割り当て情報により追加された接続識別子とを区別し，自端末装置向けの接続識別子を認識する手段を有し，
前記端末装置で接続識別子を認識できない場合は，前記回線要求を送信する手段により上り回線要求を再送する，
ことを特徴とする通信システム。
【００８１】
(付記２)
付記１において，
前記端末装置は，前記自端末装置向けの接続識別子を認識後に最初の上り回線バーストを送信する際に，前記認識された自端末装置向けの接続識別子と自端末装置番号を付加して前記基地局に送信することを特徴とする通信システム。
【００８２】
(付記３)
付記２において，
前記基地局で前記端末装置からの前記自端末装置向けの接続識別子と自端末装置番号を受信，認識して，当該端末装置向けの個別データを送信するために，ブロードキャスト信号内の下り回線割り当て情報に前記端末装置向けの接続識別子を付加することを特徴する通信システム。
【００８３】
(付記４)
付記１において，
前記端末装置は，更に自端末装置の所在位置情報に対応する上り回線要求コードと送信領域により基地局に対し上り回線要求を送信する手段を有することを特徴とする通信システム。
【００８４】
(付記５)
付記１において，
前記基地局は，前記空き個別接続識別子を送る手段により，空き個別接続識別子を数字順に設定して端末装置に送信することを特徴とする通信システム。
【００８５】
(付記６)
付記１において，
前記基地局は，前記空き個別接続識別子を送る手段により空き個別接続識別子を端末装置に送る際に，上り回線要求コードと送信領域に対応してグループ化された複数の個別接続識別子を端末装置に送信し，
前記端末装置は，受信した前記グループ化された複数の個別接続識別子から，前記上り回線要求コードと送信領域を参照して前記自端末装置向けの個別接続識別子を認識する，
ことを特徴とする通信システム。
【図面の簡単な説明】
【００８６】
【図１】ＷｉＭＡＸを利用した通信システムにおけるシステム構成例を示す図である。
【図２】本発明に適用されるＯＦＤＭＡ物理層のフレームフォーマットの構成例を示す図である。
【図３】帯域幅要求信号(Ranging)の送信領域を示す図である。
【図４】本発明を適用する基地局の構成及例のブロック図である。
【図５】本発明を適用する端末装置構成例のブロック図である。
【図６】本発明に従う第１の実施の形態例の動作フローを示す図である。
【図７】Ranging送信対応表の一例を示す図である。
【図８】本発明の第２の実施の形態例の動作フローを示す図である。
【図９】本発明の第３の実施の形態例の動作フローを示す図である。
【図１０】本発明の第４の実施の形態例の動作フローを示す図である。
【図１１】第4の実施の形態に適用される端末装置が所在する緯度，傾度情報からRangingコードと送信領域との対応表である。
【図１２】本発明の第５の実施の形態例の動作フローを示す図である。
【図１３】第５の実施の形態例に適用される個別CIDの対応表である。
【符号の説明】
【００８７】
１００  セル
１０１  基地局
＃０〜＃ｎ  端末装置
１  ネットワークインタフェース部
２  ＭＡＣ処理部
３  ＰＨＹ処理部
４  ＲＦ部
５  ＧＰＳレシーブ部
【図１】
2008005003.tif 000003
【図２】
2008005003.tif 000004
【図３】
2008005003.tif 000005
【図４】
2008005003.tif 000006
【図５】
2008005003.tif 000007
【図６】
2008005003.tif 000008
【図７】
2008005003.tif 000009
【図８】
2008005003.tif 000010
【図９】
2008005003.tif 000011
【図１０】
2008005003.tif 000012
【図１１】
2008005003.tif 000013
【図１２】
2008005003.tif 000014
【図１３】
2008005003.tif 000015